(57)【要約】【課題】携帯電話のアンテナに高度な操作を割り当てる。【解決手段】アンテナ５０は、上部ユニット１２に形成された収納筒６０から引き出された引き出し位置と、収納筒６０内に収納された収納位置との間でスライド自在に保持されており、アンテナ５０を収納位置へ移動させると、アンテナ５０に形成されたカム７０が収納筒６０のギア７２に係合する。この状態でアンテナ５０を回転操作することで、カム７０の回転に伴ってギア７２が回転し、ギア７２に接続された可変抵抗器７４の抵抗値が変化する。制御部３４は、この抵抗値に応じた位置へズームレンズ３２を移動させる。これにより、アンテナ５０を回転操作することで、撮影時のズーム倍率を変倍することができる。【選択図】        図４
2006311092.tif 000002
【特許請求の範囲】
【請求項１】
電話機本体に棒状のアンテナが取り付けられた携帯電話機において、
前記アンテナが長手方向と平行な軸を中心に回転された際に、前記アンテナの回転量を検知する検知手段と、
前記アンテナの回転量に応じて電話機本体に内蔵された装置の駆動制御を行う制御手段とを備えたことを特徴とする携帯電話機。
【請求項２】
前記検知手段は、前記アンテナの回転量に応じて抵抗値を変化させる可変抵抗を備え、この可変抵抗の抵抗値を調べることでアンテナの回転量を検知することを特徴とする請求項１記載の携帯電話機。
【請求項３】
ズーム倍率を変化させて撮影を行うズームカメラ機構を備え、前記制御手段は、前記アンテナの回転量に応じて撮影時のズーム倍率を変化させることを特徴とする請求項１または２記載の携帯電話機。
【請求項４】
前記アンテナは、前記電話機本体から引き出された引き出し位置と、一部を露呈させた状態で前記電話機本体内に収納される収納位置との間でスライド自在に設けられ、
前記検知手段は、前記アンテナが前記収納位置において回転された際に、この回転量を検知して、
前記制御手段は、前記収納位置におけるアンテナ回転量に応じて前記ズーム倍率を変化させることを特徴とする請求項３記載の携帯電話機。
【請求項５】
電話機本体から引き出された使用位置と、一部を露呈させた状態で前記電話機本体内に収納される収納位置との間でスライド自在のアンテナを備えた携帯電話機において、
前記使用位置と前記収納位置との間において、前記収納位置から引き出された前記アンテナのスライド量を検知する検知手段と、
前記アンテナのスライド量に応じて電話機本体に内蔵された装置の駆動制御を行う制御手段とを備えたことを特徴とする携帯電話機。
【発明の詳細な説明】
【技術分野】
【０００１】
本発明は、携帯電話機に関するものであり、特に、ズーム倍率を変化させて撮影を行うズーム機構を備えたカメラ付き携帯電話機に関するものである。
【背景技術】
【０００２】
撮像装置を内蔵したカメラ付き携帯電話機が広く普及している。また、ズームレンズをテレ側とワイド側との間で移動させる光学式ズーム機構や、撮影範囲の一部を抽出して拡大するデジタルズーム機構を備え、撮影時のズーム倍率を調節できるカメラ付き携帯電話機もある。しかし。このような携帯電話機の多機能化に伴い、携帯電話機の本体には撮影指示を行うためのシャッタボタンやズーム倍率を調節するためのズーム操作部材など複数の操作部材が設けられ、操作性や外観のデザイン性が低下してしまうといった問題があった。
【０００３】
この問題を解決するために、下記特許文献１には、アンテナに押圧検知式のスイッチを設け、アンテナを押し込むことによってスイッチをオンさせるようにした装置が記載されている。そして、この装置では、アンテナをシャッタボタンとして機能させ、従来装置本体に配置していたシャッタボタンを廃止し、外観のデザイン性を向上させている。
【特許文献１】特開２００３−１１６０３７
【発明の開示】
【発明が解決しようとする課題】
【０００４】
しかしながら、上記特許文献１記載の装置は、アンテナを押し込むことによってスイッチをオンさせるものであるため、簡単な操作しか割り当てることができない。
【０００５】
本発明は、上記背景を鑑みてなされたものであり、より高度な操作を割り当てることができるアンテナを備えた携帯電話機を提供することを目的としている。
【課題を解決するための手段】
【０００６】
上記目的を達成するために、本発明の携帯電話機は、アンテナが長手方向と平行な軸を中心に回転された際に、アンテナの回転量を検知する検知手段と、アンテナの回転量に応じて電話機本体に内蔵された装置の駆動制御を行う制御手段とを備えたことを特徴としている。
【０００７】
前記検知手段は、前記アンテナの回転量に応じて抵抗値を変化させる可変抵抗を備え、この可変抵抗の抵抗値を調べることでアンテナの回転量を検知するものでもよい。
【０００８】
ズーム倍率を変化させて撮影を行うズームカメラ機構を備え、前記制御手段は、前記アンテナの回転量に応じて撮影時のズーム倍率を変化させることが好ましい。
【０００９】
また、前記アンテナは、前記電話機本体から引き出された引き出し位置と、一部を露呈させた状態で前記電話機本体内に収納される収納位置との間でスライド自在に設けられ、前記検知手段は、前記アンテナが前記収納位置において回転された際に、この回転量を検知して、前記制御手段は、前記収納位置におけるアンテナ回転量に応じて前記ズーム倍率を変化させることが好ましい。
【００１０】
さらに、本発明の携帯電話機は、電話機本体から引き出された使用位置と、一部を露呈させた状態で前記電話機本体内に収納される収納位置との間でスライド自在のアンテナを備えた携帯電話機において、前記使用位置と前記収納位置との間において、前記収納位置から引き出された前記アンテナのスライド量を検知する検知手段と、前記アンテナのスライド量に応じて装置の駆動制御を行う制御手段とを備えたことを特徴としている。
【発明の効果】
【００１１】
本発明の携帯電話機は、アンテナの回転量を検知し、この回転量に応じて電話機本体に内蔵された装置の駆動制御を行うようにしたので、アンテナを押し込むことでスイッチをオンさせる場合と比較して、より高度な操作を割り当てることができる。
【００１２】
また、本発明の携帯電話機は、アンテナのスライド量を検知し、このスライド量に応じて電話機本体に内蔵された装置の駆動制御を行うようにしたので、アンテナを押し込むことでスイッチをオンさせる場合と比較して、より高度な操作を割り当てることができる。
【発明を実施するための最良の形態】
【００１３】
通話機能及びカメラ機能を備えたカメラ付き携帯電話の前面側の外観図を図１、図２に、背面側の外観図を図３にそれぞれ示す。カメラ付き携帯電話１０は、上部ユニット１２と、下部ユニット１４と、これら各ユニット１２、１４を回動自在に連結するヒンジ部１６とから構成される。カメラ付き携帯電話１０は、ヒンジ部１６を介して回動することで、図１に示す、上部ユニット１２の下方に下部ユニット１４の前面を露呈させた状態と、図２、図３に示す、上部ユニット１２の背面に下部ユニット１４の前面を対面させた状態との間で、展開及び折りたたみができる。
【００１４】
下部ユニット１４には、前面に送話マイク１８、操作部２０が設けられ、背面にズームレンズ鏡胴３０が設けられている。操作部２０は、電話番号の入力やメールの文面を作成する際に操作されるテンキー２０ａや、通話開始ボタン２０ｂ、通話切断ボタン２０ｃ、カーソルキー２０ｄなどから構成され、各種操作を行うことができる。ズームレンズ鏡胴３０には、ズームレンズ３２が配置されている。ズームレンズ鏡胴３０は、カメラ付き携帯電話１０の制御部３４（図５参照）により駆動され、ズームレンズ３２をテレ側とワイド側との間で移動させることによってズーム倍率の変倍を行う。
【００１５】
一方、上部ユニット１２には、側面にモード選択ボタン３６、シャッタボタン３８が設けられ、前面に受話スピーカ４０、ＬＣＤ４２が設けられている。モード選択ボタン３６は、通話を行う通話モードと、撮影を行うカメラモードとを切り替える際に操作される。ＬＣＤ４２には、通話モードにおいては着信相手の電話番号や通話時間が表示され、カメラモードにおいてはスルー画や撮影済み画像が表示される。この他にもＬＣＤ４２には、各種設定を行うためのメニュー画面や、カレンダー、アドレス帳など各種画面が表示される。
【００１６】
さらに、上部ユニット１２には、アンテナ５０が設けられている。アンテナ５０は、通話や電子メールサービス、インターネット接続サービスを利用する際に他の携帯電話やインターネットサーバからの電波信号を受信するとともに、カメラ付き携帯電話１０から発信される電波信号を外部に送信する。また、後述するように、アンテナ５０は、ズーム操作部材としての機能も有しており、ズーム倍率の変倍操作を行うことができる。
【００１７】
図４に示すように、アンテナ５０は、円筒形状の先端部５２と、係止リング５４ａの設けられた後端部５４と、これら先端部５２と後端部５４とを繋ぐ、棒状のアンテナ本体５６とからなり、上部ユニット１２に形成された収納筒６０に取り付けられて保持される。収納筒６０の上部及び下部には、それぞれが後端部５４と係合する係合部６２、６４が設けられている。さらに、係合部６２には開口６２ａが設けられ、係合部６４には開口６４ａが設けられている。
【００１８】
アンテナ５０は、収納筒６０から引き出され、後端部５４の上側が開口６２ａに嵌め込まれ、係止リング５４ａが係合部６２と当接する引き出し位置と、収納筒６０内に押し込まれ、後端部５４の下側が開口６４ａに嵌め込まれ、係止リング５４ａが係合部６４と当接する収納位置との間でスライド自在に保持される。さらに、アンテナ５０は、引き出し位置と収納位置の各位置において、開口６２ａ、６２ｂにより、アンテナ本体５６を中心に回転自在に保持される。
【００１９】
また、アンテナ本体５６の先端側にはカム７０が取り付けられており、一方、収納筒６０の上部にはこのカム７０と係合するギア７２が設けられている。ギア７２は、アンテナ５０の長手方向と垂直な面内で、アンテナ本体５６を中心に回転自在に設けられ、アンテナ５０が収納位置に移動された際にカム７０と係合する。そして、ギア７２は、アンテナ５０が回転操作されると、この回転操作に伴って回転する。
【００２０】
このギア７２には可変抵抗器７４が接続されている。可変抵抗器７４は、ギア７２の回動により作動され、予め設定された最小抵抗値と最大抵抗値との間で、その抵抗値を変化させる。本実施形態では、図４中時計回りにギア７２が回転されることで可変抵抗器７４の抵抗値が増加し、図中反時計回りにギアが回転されることで可変抵抗器７４の抵抗値が減少する。このように、収納位置においてアンテナ５０を回転操作することで、可変抵抗器７４の抵抗値が変化する。
【００２１】
図５に、このアンテナ５０の回転操作に伴う可変抵抗器７４の抵抗値の変化に基づいてズーム倍率を変化させるズーム機構の構成図を示す。このズーム機構は、ズームレンズ鏡胴３０、及び、アンテナ５０、ギア７２、可変抵抗器７４を含んで構成され、カメラ付き携帯電話１０の各部を統括的に制御する制御部３４によって駆動制御される。
【００２２】
制御部３４には、ズームレンズ鏡胴３０を駆動する鏡胴駆動部８０が設けられており、さらにこの鏡胴駆動部８０には、検出回路８２、ルックアップテーブル（ＬＵＴ）８４が設けられている。検出回路８２は、可変抵抗器７４と接続されている。検出回路８２は、カメラ付き携帯電話１０がカメラモードにセットされている間、可変抵抗器７４対して通電を行い、このときの電流値から可変抵抗器７４の抵抗値を算出する。ＬＵＴ８４には、可変抵抗器７４の抵抗値が最大から最小に向かうにつれてズームレンズ３２の位置がテレ側からワイド側へ向かうように、可変抵抗器７４の抵抗値とズームレンズ３２の位置とが対応付けされて記憶されている。
【００２３】
図６に示すように、鏡胴駆動部８０は、検出回路８２により可変抵抗器７４の抵抗値を算出した後、ＬＵＴ８４を参照して可変抵抗器７４の抵抗値に対応するズームレンズ３２の位置を抽出する。そして、ズームレンズ鏡胴３０を駆動して、可変抵抗器７４の抵抗値に対応する位置までズームレンズ３２を移動させる。
【００２４】
以下、上記構成による本発明の作用について説明する。カメラ付き携帯電話１０は、ヒンジ部１６を介して回動させることで展開、折りたたみができる。カメラ付き携帯電話１０を展開させることで、操作部２０が露呈され、通話や各種操作を行うことができる。一方、カメラ付き携帯電話１０を折りたためば、コンパクトで持ち運び易くなるとともに、操作部２０が上部ユニット１２の背面と対面されるので、持ち運びの際の誤操作を防止できる。
【００２５】
また、カメラ付き携帯電話１０では、展開、折りたたみのいずれの状態においても、ズームレンズ鏡胴３０や、カメラモードに切り替えるためのモード選択ボタン３６や、カメラモードにて使用する操作部材、並びに、スルー画を表示するためのＬＣＤ４２が露呈されている。このため、カメラ付き携帯電話１０は、折りたたんだままカメラモードに切り替えて撮影を行うことができる。
【００２６】
さらに、カメラモードでは、アンテナ５０を回転操作することで、撮影時のズーム倍率を変倍することができる。アンテナ５０は、上部ユニット１２に形成された収納筒６０から引き出された引き出し位置と、収納筒６０内に収納された収納位置との間でスライド自在に保持されており、アンテナ５０を収納位置へ移動させると、アンテナ５０に形成されたカム７０が収納筒６０のギア７２に係合する。この状態でアンテナ５０を回転操作することで、カム７０の回転に伴ってギア７２が回転し、ギア７２に接続された可変抵抗器７４の抵抗値が変化する。そして、この抵抗値に応じた位置へズームレンズ３２が移動されてズーム倍率が変倍される。一方、引き出し位置でアンテナを回転させてもギアは回転しないので、ユーザーが意図しないアンテナの回転によりズーム倍率が変化してしまうといったこともない。
【００２７】
このように、カメラ付き携帯電話１０では、アンテナの回転量に応じてズーム倍率を変倍するようにしたので、アンテナをズーム操作部材として用いることができ、便利である。また、アンテナにズーム操作部材としての機能を持たせることで、アンテナにシャッタボタンとしての機能を持たせる場合と比較して、よりカメラ付き携帯電話の小型化とデザイン性の向上とが可能となる。
【００２８】
すなわち、ズーム操作部材としては、押下のみを行うシャッタボタンよりも高度な操作を行えるものが求められるので、アンテナとは別にズーム操作部材を設ける場合、回転式の操作ダイアルやスライド式の操作レバーなどのように、シャッタボタンよりも大型の操作部材を配置する必要がある。このため、アンテナをズーム操作部材として用い、アンテナとは別にシャッタボタンを設けた方が、アンテナをシャッタボタンとして用い、アンテナとは別にズーム操作部材を設けるよりもカメラ付き携帯電話の外観に与える悪影響を小さく抑えることができる。
【００２９】
もちろん、カーソルキーをズーム操作部材としても用いるといったように、カメラ付き携帯電話に予め備えられた操作部材をズーム操作部材として兼用することで、別個にズーム操作部材を設ける必要はなくなるが、この場合、１つの操作部材に複数の操作が割り当てられるため、操作性が低下してしまう。また、上記実施形態に示したように、折りたたんだままでも撮影可能なカメラ付き携帯電話においては、カメラモードにて使用する操作部材は折りたたんだ状態でも露呈されている必要があり、例えば、カーソルキーを折りたたんだ状態でも露呈させることにより、外観に悪影響を与えてしまうだけでなく、持ち運びの際に誤操作してしまうといった懸念もある。
【００３０】
なお、上記実施形態では、アンテナ本体の先端側にカムを設け、収納筒の上部にギアを設ける例で説明をしたが、本発明はこれに限定されるものではない。例えば、図７に示すアンテナ９０及び収納筒９２のように、カム７０をアンテナ９０の後端に設けるとともに、ギア７２を収納筒９２の下部に設けてもよい。このような構成にしても上記実施形態と同様の効果を得ることができる。なお、図７以降の図面においては、上述した実施形態と同様の部材については同様の符号を付して説明を省略している。
【００３１】
また、上記実施形態では、アンテナの回転操作に応じてズーム倍率を変倍させる例で説明をしたが、本発明はこれに限定されるものではない。例えば、図８に示すズーム機構のように、アンテナ１００のスライド操作に応じてズーム倍率を変倍させてもよい。このズーム機構では、収納筒１０２の下部に、回動式のレバー１０４を設けている。
【００３２】
レバー１０４は、図示しないバネによって上向きに付勢されており、アンテナ１００が引き出されると上方へ向かって回動する。一方、レバー１０４は、アンテナ１００が収納位置へ向けて移動されると、アンテナ１００の後端部５４により押し戻され、下方へ向かって回動する。このレバー１０４に、可変抵抗器１０６が取り付けられている。可変抵抗器１０６は、レバー１０４の角度に応じてその抵抗値を変化させる。そして、制御部３４は、可変抵抗器１０６の抵抗値に応じた位置へズームレンズ３２を移動させる。こうすることで、アンテナ１００のスライド操作に応じてズーム倍率を変倍できる。
【００３３】
なお、上記実施形態では、アンテナにズーム倍率の変倍操作を割り当てた例で説明をしたが、本発明はこれに限定されるものではない。例えば、アンテナに、アドレス帳内に表示される登録者の送り戻し操作や、再生画像の送り戻し操作を割り当ててもよい。本発明は、アンテナの押下により操作を行う場合と比較して、より高度な操作を行うことができるので、各種の操作を割り当てることが可能である。
【図面の簡単な説明】
【００３４】
【図１】展開したカメラ付き携帯電話の前面側外観図である。
【図２】折りたたんだカメラ付き携帯電話の前面側外観図である。
【図３】折りたたんだカメラ付き携帯電話の背面側外観図である。
【図４】アンテナの斜視図である。
【図５】ズーム機構の構成図である。
【図６】変倍手順を示すフロチャートである。
【図７】アンテナの斜視図である。
【図８】アンテナの平面図である。
【符号の説明】
【００３５】
１０  カメラ付き携帯電話
３０  ズームレンズ鏡胴
３４  制御部
３６  モード選択ボタン
３８  シャッタボタン
４２  ＬＣＤ
５０、９０、１００  アンテナ
６０、９２、１０２  収納筒
６２、６４  係合部
７０  カム
７２  ギア
７４、１０６  可変抵抗器
８０  鏡胴駆動部
８２  検出回路
８４  ＬＵＴ
１０４  レバー
【図１】
2006311092.tif 000003
【図２】
2006311092.tif 000004
【図３】
2006311092.tif 000005
【図４】
2006311092.tif 000006
【図５】
2006311092.tif 000007
【図６】
2006311092.tif 000008
【図７】
2006311092.tif 000009
【図８】
2006311092.tif 000010